(57)【要約】【課題】  給送台より大きなシート状体であっても、搬送ベルトに安定して載せることができ、安定して給送することができ、しかも、そのような効果を極めて簡単な構成で発揮できる、シート状体給送装置を提供すること。【解決手段】  給送台２１上に積載されたシート状体を、下から１枚ずつ、搬送ベルト２２１に載せて、次段に送る、シート状体給送装置２において、シート状体の一方の側縁を規制する固定ガイド２３と、給送台２１の縁から延びた延在面で構成されており、少なくとも給送台２１の前側又は固定ガイド２３側に向かって下るよう傾斜している、傾斜ガイド２４と、を備えていることを特徴としている。【選択図】  図１
2005075485.tif 000002
【特許請求の範囲】
【請求項１】
給送台上に積載されたシート状体を、下から１枚ずつ、搬送ベルトに載せて、次段に送る、シート状体給送装置において、
シート状体の一方の側縁を規制する固定ガイドと、
給送台の縁から延びた延在面で構成されており、少なくとも給送台の前側又は固定ガイド側に向かって下るよう傾斜している、傾斜ガイドと、を備えていることを特徴とするシート状体給送装置。
【請求項２】
傾斜ガイドが給送台に対して着脱自在である、請求項１記載のシート状体給送装置。
【請求項３】
傾斜ガイドが、変形可能な材料からなる板材を、持上機構により下方から持ち上げることによって傾斜させて、構成されている、請求項１記載のシート状体給送装置。
【発明の詳細な説明】
【技術分野】
【０００１】
本発明は、封筒開封装置や情報読取装置などに、封筒、原稿、写真などのシート状体を、１枚ずつ送る、給送装置に関するものである。
【背景技術】
【０００２】
従来の給送装置としては、特許文献１〜３などに示されたものがある。特許文献１〜３の装置は、いずれも、積載された紙葉又は帳票を上から１枚ずつ搬送ベルトで給送するものである。そして、特許文献１の装置は、搬送ベルトを紙葉に対して適切な位置に設定するために、搬送ベルトと位置規制ガイドとを連結して一体に移動させるようにしている。特許文献２の装置は、安定給紙を行うために、固定された搬送ベルトと移動可能な搬送ベルトとを設け、帳票の幅に応じた位置に搬送ベルトを移動させるようにしている。特許文献３の装置は、帳票のスキュー量が小さい安定した給紙を行うために、複数の搬送ベルトを並設し、帳票の幅に応じて該当する搬送ベルトを作動させるようにしている。
【特許文献１】実開昭５７−２００５６号公報
【特許文献２】特開昭６１−６０５３６号公報
【特許文献３】特開平５−１８６０６８号公報
【発明の開示】
【発明が解決しようとする課題】
【０００３】
しかしながら、特許文献１の装置では、搬送ベルトと位置規制ガイドとの間隔が一定のままであるので、位置規制ガイドの移動量によっては、搬送ベルトが紙葉に対して適切な位置とならない場合があるという問題があった。また、特許文献１〜３の装置は、いずれも、搬送ベルトに係わる新たな機構を必要とするため、装置構成が複雑化するという問題があった。
【０００４】
本発明は、給送台より大きなシート状体であっても、搬送ベルトに安定して載せることができ、安定して給送することができ、しかも、そのような効果を極めて簡単な構成で発揮できる、シート状体給送装置を提供することを目的とする。
【課題を解決するための手段】
【０００５】
請求項１記載の発明は、給送台上に積載されたシート状体を、下から１枚ずつ、搬送ベルトに載せて、次段に送る、シート状体給送装置において、シート状体の一方の側縁を規制する固定ガイドと、給送台の縁から延びた延在面で構成されており、少なくとも給送台の前側又は固定ガイド側に向かって下るよう傾斜している、傾斜ガイドと、を備えていることを特徴としている。
【０００６】
請求項２記載の発明は、請求項１記載の発明において、傾斜ガイドが給送台に対して着脱自在であるものである。
【０００７】
請求項３記載の発明は、請求項１記載の発明において、傾斜ガイドが、変形可能な材料からなる板材を、持上機構により下方から持ち上げることによって傾斜させて、構成されているものである。
【発明の効果】
【０００８】
請求項１記載の発明によれば、給送台より大きなシート状体を給送する場合に、シート状体の、給送台からはみ出した部分を、傾斜ガイド上に載せて傾斜ガイドに沿って傾斜させるので、シート状体の重心を搬送ベルト付近に位置させることができる。従って、給送台より大きなシート状体であっても、搬送ベルトに安定して載せることができ、安定して給送することができる。しかも、そのような効果を極めて簡単な構成で発揮できる。
【０００９】
請求項２記載の発明によれば、給送台と同等以下の大きさのシート状体を給送する場合に、傾斜ガイドを取り外すことによって、傾斜ガイドが邪魔になるのを防止できる。
【００１０】
請求項３記載の発明によれば、湾曲している傾斜ガイドを成形作業によって製作しなくてもよいので、製作コストを安価にできる。更に、持上機構によって傾斜ガイドの傾斜角度を任意に設定できるので、該傾斜角度を調整することによって、シート状体の重心を、搬送ベルトに、より近付かせることができる。
【発明を実施するための最良の形態】
【００１１】
（実施形態１）
図１は本発明のシート状体給送装置を用いた封筒開封設備１０を示す斜視図である。この設備１０は、封筒開封装置１の、入口側にシート状体給送装置２を、出口側に封筒受け装置３を、それぞれ配置して、構成されている。給送装置２は、給送台２１と、搬送ベルト機構２２と、固定ガイド２３と、傾斜ガイド２４と、を備えている。
【００１２】
図２は図１のII−II断面に相当する図である。封筒開封設備１０は、給送装置２の給送台２１上に積載された封筒４を、下から１枚ずつ、搬送ベルト機構２２の搬送ベルト２２１に載せて、封筒開封装置１に送り、第１搬送ローラ１１，１２で挟んで回転刃１３，１４に送り、回転刃１３，１４による切断によって開封しながら第２搬送ローラ１５，１６に送り、第２搬送ローラ１５，１６で挟んで封筒受け装置３に送り、封筒受け装置３にて、開封された封筒４を次々と受けていくようになっている。給送装置２の固定ガイド２３は封筒４の一方の側縁を規制するよう設けられている。搬送ベルト機構２２は、図２に示すように、無端環状の搬送ベルト２２１が駆動ローラ２２２と従動ローラ２２３とに張り渡されて構成されている。
【００１３】
図３は図１の平面部分図、図４は図３のIV−IV断面図、図５は図３のＶ−Ｖ断面図である。傾斜ガイド２４は、給送台２１の、固定ガイド２３に対向する側縁２１１から延びた第１延在面２４１と、後縁２１２から延びた第２延在面２４２と、両延在面２４１，２４２を繋ぐよう延びた第３延在面２４３と、からなっている。第１延在面２４１は、図３の矢印Ａに示すように側縁２１１に向かって、且つ、図４に示すように下るよう湾曲して、傾斜している。第２延在面２４２は、図３の矢印Ｂに示すように後縁２１２に向かって、且つ、図５に示すように下るよう湾曲して、傾斜している。なお、第２延在面２４２は、後縁２１２付近で少しだけ水平となっている。第３延在面２４３は、図３の矢印Ｃに示すように角部２１３に向かって下るよう湾曲して傾斜している。
【００１４】
傾斜ガイド２４は、連結具５１，５２によって、給送台２１に着脱自在となっている。連結具５１，５２としては、ボルト、ナットを用いたものや、その他の公知のものを用いることができる。
【００１５】
傾斜ガイド２４は、数箇所に設けた支柱２５により、下方から支持されている。なお、支柱２５は必ずしも必要ではない。
【００１６】
傾斜ガイド２４は、一体物でもよいが、図３中にて一点鎖線で示すように、第１延在面２４１と第２延在面２４２と第３延在面２４３とが別体であって、連結して構成されるものであってもよい。その場合に用いる連結具６１，６２としては、連結具５１，５２と同様に、ボルト、ナットを用いたものや、その他の公知のものを用いることができる。
【００１７】
上記構成の給送装置２において、図３の二点鎖線で示すように、給送台２１より幅及び長さが共に大きな封筒４を給送するために、封筒４を給送台２１上に載せると、図４及び図５の二点鎖線で示すように、封筒４の、給送台２１からはみ出した部分が、傾斜ガイド２４上に載って、傾斜ガイド２４に沿って傾斜する。このため、封筒４の重心が、第１延在面２４１の傾斜によって固定ガイド２３側に偏り、且つ、第２延在面２４２の傾斜によって給送台２１の前側に偏り、従って、給送台２１の前側且つ固定ガイド２３側に位置することとなる。それ故、搬送ベルト２２１が封筒４の重心付近に位置することとなる。従って、給送台２１からはみ出る大きな封筒４であっても、搬送ベルト２２１に安定して載せることができ、安定して給送することができる。
【００１８】
また、傾斜ガイド２４は、給送台２１に対して着脱自在であるので、給送台２１と同等以下の大きさの封筒４を給送する場合には、取り外すことができ、邪魔にはならない。
【００１９】
（実施形態２）
本実施形態の給送装置では、図６及び図７に示すように、傾斜ガイド２４が、変形可能な材料からなる板材を、持上機構７により下方から持ち上げることによって傾斜させて、構成されている。その他の構成は実施形態１と同じである。
【００２０】
変形可能な材料としては、樹脂、ゴムなどを用いることができる。
【００２１】
持上機構７としては、例えば、ピストン７１とシリンダ７２とからなるピストン・シリンダ機構を採用できるが、ピストン７１をねじを回して上下動させるねじ式を採用してもよい。ピストン７１の先端には受部７３が設けられている。受部７３の受面７３１は、図に示すように、傾斜ガイド２４が湾曲した傾斜となるように、湾曲しているのが好ましい。
【００２２】
持上機構７は、図８中のＸの位置に設けられている。これにより、第１延在部２４１を確実に固定ガイド２３側に向けて下るよう湾曲して傾斜させることができる。なお、図８中のＹの位置に設けてもよい。これによれば、傾斜ガイド２４が全体的に、給送台２１の前側且つ固定ガイド２３側に向けて傾斜することとなる。
【００２３】
本実施形態によっても、実施形態１と同様の効果を発揮できる。しかも、本実施形態によれば、湾曲している傾斜ガイド２４を成形作業によって製作しなくてもよいので、製作コストを安価にできる。更に、本実施形態によれば、持上機構７によって傾斜ガイド２４の傾斜角度を任意に設定できるので、該傾斜角度を調整することによって、封筒４の重心を、搬送ベルト２２１に、より近付かせることができる。
【００２４】
（別の実施形態）
（１）給送台２１より幅のみが大きな封筒４を給送する場合には、傾斜ガイド２４は、第１延在面２４１のみからなるものでよい。これによれば、封筒４の重心が固定ガイド２３側に位置することとなり、それ故、搬送ベルト２２１が封筒４の重心付近に位置することとなる。
【００２５】
（２）給送台２１より長さのみが大きな封筒４を給送する場合には、傾斜ガイド２４は、第２延在面２４２のみからなるものでよい。これによれば、封筒４の重心が給送台２１の前側に位置することとなり、それ故、搬送ベルト２２１が封筒４の重心付近に位置することとなる。
【００２６】
（３）給送台２１より幅及び長さが共に大きな封筒４を給送する場合であっても、傾斜ガイド２４は、少なくとも、第１延在面２４１及び第２延在面２４２のいずれかを備えていればよい。いずれかを備えていれば、搬送ベルト２２１は封筒４の重心付近に位置することとなる。
【００２７】
（４）上述した実施形態では、シート状体が封筒であり、封筒開封装置に封筒を送る給送装置を示しているが、これに限るものではない。例えば、シート状体が原稿や写真であり、そのようなシート状体を文字や画像などの情報を読み取る情報読取装置に送る給送装置であってもよい。
【産業上の利用可能性】
【００２８】
本発明の給送装置は、封筒開封装置や情報読取装置などに、封筒、原稿、写真などのシート状体を、１枚ずつ安定して送ることができ、しかも、極めて簡単な構成で実現できるので、産業上の利用価値が大である。
【図面の簡単な説明】
【００２９】
【図１】本発明のシート状体給送装置を用いた封筒開封設備を示す斜視図である。
【図２】図１のII−II断面に相当する図である。
【図３】図１の平面部分図である。
【図４】図３のIV−IV断面図である。
【図５】図３のＶ−Ｖ断面図である。
【図６】実施形態２の傾斜ガイドの完成前の状態を示す、図４に相当する図である。
【図７】実施形態２の傾斜ガイドの完成した状態を示す、図４に相当する図である。
【図８】実施形態２の給送装置を用いた封筒開封設備を示す平面部分図である。
【符号の説明】
【００３０】
２  給送装置
２１  給送台
２１１  側縁
２１２  後縁
２２１  搬送ベルト
２３  固定ガイド
２４  傾斜ガイド
７  持上機構
【図１】
2005075485.tif 000003
【図２】
2005075485.tif 000004
【図３】
2005075485.tif 000005
【図４】
2005075485.tif 000006
【図５】
2005075485.tif 000007
【図６】
2005075485.tif 000008
【図７】
2005075485.tif 000009
【図８】
2005075485.tif 000010